(57)【要約】【課題】  音声の切替操作前の音声を得ることができるテレビ受信機を提供する。【解決手段】  ２個のチューナー１１，１２と、２個のチューナー１１，１２によってそれぞれチューニングされた２つチャンネルの画面を同時に表示する表示デバイス２１と、音声信号を記録する音声データメモリ２３と、前記２つのチャンネルの内、１つのチャンネルの音声を出力するスピーカー２５と、音声が出力されていないチャンネルの音声信号を音声データメモリ２３に記録し、音声出力の切替指示があると、音声データメモリ２３に記録されている、切替指示前の該当するチャンネルの音声信号を読み込んでスピーカー２５に出力させる音声記録再生回路２２とを備えたものである。【選択図】  図１
2006041839.tif 000002
【特許請求の範囲】
【請求項１】
複数のチューナーと、
該複数のチューナーによってそれぞれチューニングされた複数のチャンネルの画面を同時に表示する表示デバイスと、
音声信号を記録する音声データ記録手段と、
前記複数のチャンネルの内、１つのチャンネルの音声を出力するスピーカーと、
音声が出力されていないチャンネルの音声信号を前記音声データ記録手段に記録し、音声出力の切換指示があると、それまで出力していたチャンネルの音声の出力を停止し、前記音声データ記録手段に記録されている、前記切換指示前の該当するチャンネルの音声信号を読み込んで前記スピーカーに出力させる音声記録再生回路と
を備えたことを特徴とするテレビ受信機。
【請求項２】
２個のチューナーと、
該２個のチューナーによってそれぞれチューニングされた２つのチャンネルの画面を同時に表示する表示デバイスと、
音声信号を記録する音声データ記録手段と、
前記２つのチャンネルの内、１つのチャンネルの音声を出力するスピーカーと、
音声が出力されていないチャンネルの音声信号を前記音声データ記録手段に記録し、音声出力の切替指示があると、それまで出力していたチャンネルの音声の出力を停止し、前記音声信号記録手段に記録されている、前記切換指示前の該当するチャンネルの音声信号を読み込んでスピーカーに出力させる音声記録再生回路と
を備えたことを特徴とするテレビ受信機。
【請求項３】
前記音声記録再生回路は、前記音声信号記録手段がリングバッファとして機能するように音声信号の書き込み処理を行い、前記書き込み処理の周期＞前記読み込み処理の周期とし、読み込み処理の読み込みポイントが書き込み処理の書き込みポイントに追いつくと、該当するチャンネルの音声信号を、前記音声データ記録手段を介さずに、スピーカーに出力させることを特徴とする請求項１又は２記載のテレビ受信機。
【請求項４】
前記音声記録再生回路は、前記読み込みポイントが前記書き込みポイントに追いつくと、出力対象となっていないチャンネルの音声信号を前記音声データ記録手段に記憶させることを特徴とする請求項３記載のテレビ受信機。
【請求項５】
前記表示デバイスは、音声をスピーカーから出力するチャンネルの画面と、音声がスピーカーから出力されていないチャンネルの画面とを識別表示することを特徴とする請求項１〜４の何れかに記載のテレビ受信機。
【請求項６】
前記表示デバイスは、音声出力の切替指示があると、音声をスピーカーから出力するチャンネルの画面を主画面とし、音声をスピーカーから出力しないチャンネルの画面を副画面として表示することを特徴とする請求項５記載のテレビ受信機。
【発明の詳細な説明】
【技術分野】
【０００１】
本発明は、複数のチューナーを内蔵し、表示デバイスに複数の画面を同時に表示できるようにしたテレビ受信機に関し、特にその音声出力の切替時の処理に関する。
【背景技術】
【０００２】
従来のテレビ受信機には２つのチューナーを内蔵し、２つの番組を２画面並べて表示できるようにしたものがある。この場合、画面は同時に見られるが、音声については通常片方しか聞くことができなかった。このため、両方のスピーカーで２つのチャンネルの音声を出力するようにしたものがある（例えば特許文献１）。
【特許文献１】特開平７−２９８１６２号公報
【発明の開示】
【発明が解決しようとする課題】
【０００３】
上記の従来の技術（特許文献１）のように、両方のスピーカーで２つのチャンネルの音声を出力したとしても、人間の耳では同時に聞いて理解するのは難しい。また、実際にはドラマを見ながら野球中継を見るといった使い方で、片方の音声が聞ければいい場合が多い。しかし、音声が出ていない画面が興味がある場面（映像）になった場合に、音声出力を切り替えた場合に、切り替えた後の音声は得られるが、その直前の部分、即ち、興味をもった瞬間の場面（映像）の音声を聞くことはできなかった。
【０００４】
本発明は、このような問題点を解決するためになされたものであり、音声を切り替える操作前の所定時間の音声を得ることができるテレビ受信機を提供することを目的とする。
【課題を解決するための手段】
【０００５】
本発明に係るテレビ受信機は、複数のチューナーと、該複数のチューナーによってそれぞれチューニングされた複数のチャンネルの画面を同時に表示する表示デバイスと、音声信号を記録する音声データ記録手段と、前記複数のチャンネルの内、１つのチャンネルの音声を出力するスピーカーと、音声が出力されていないチャンネルの音声信号を前記音声データ記録手段に記録し、音声出力の切り替え指示があると、前記音声データ記録手段に記録されている、切り替え指示前の該当するチャンネルの音声信号を読み込んで前記スピーカーに出力させる音声記録再生回路とを備えたものである。本発明においては、音声が出力されていないチャンネルの音声信号を音声データ記録手段に記録しており、音声出力の切り替え指示があると、音声データ記録手段に記録されている、切り替え指示前の該当するチャンネルの音声信号を読み込んでスピーカーに出力させるようにしたので、音声の切り替え操作の前の音声が得られる。
【０００６】
また、本発明に係るテレビ受信機は、２個のチューナーと、該２個のチューナーによってそれぞれチューニングされた２つのチャンネルの画面を同時に表示する表示デバイスと、音声信号を記録する音声信号記録手段と、前記２つのチャンネルの内、１つのチャンネルの音声を出力するスピーカーと、音声が出力されていないチャンネルの音声信号を前記音声データ記憶手段に記録し、音声出力の切り替え指示があると、それまで出力していたチャンネルの音声の出力を停止し、前記音声データ記録手段に記録されている、該当するチャンネルの音声信号を読み込んでスピーカーに出力させる音声記録再生回路とを備えたものである。本発明においては、音声が出力されていない１つのチャンネルの音声信号を音声データ記録手段に記録しており、音声出力の切り替え指示があると、音声データ記録手段に記録されていている、切り替え指示前の上記のチャンネル（音声が出力されていない）の音声信号を読み込んでスピーカーに出力させるようにしたので、音声の切り替え操作の前の該当するチャンネルの音声が得られる。
【０００７】
また、本発明に係るテレビ受信機において、前記音声記録再生回路は、前記音声データ記録手段がリングバッファとして機能するように書き込み処理を行い、前記書き込み処理の周期＞前記読み込み処理の周期とし、読み込み処理の読み込みポイントが書き込み処理の書き込みポイントに追いつくと、該当するチャンネルの音声信号を、前記音声データ記録手段を介さずにスピーカーに出力させる。本発明によれば、前記音声データ記録手段がリングバッファ構成となるように書き込み処理を行うようにしたので、音声切り替え操作前の所定時間の音声信号を記録することができ、当該所定時間の音声を確実に再生することができる。また、前記書き込み処理の周期＞前記読み込み処理の周期とし、読み込み処理の読み込みポイントが書き込み処理の書き込みポイントに追いつくと、該当するチャンネルの音声信号を上記の読み込み処理を行わずにスピーカーに出力するようにしたので、記録された音声信号からチューニングされた音声データへの移行処理を円滑にすることができる。
【０００８】
また、本発明に係るテレビ受信機において、前記音声記録再生回路は、前記読み込みポイントが前記書き込みポイントに追いつくと、出力対象となっていないチャンネルの音声信号を前記音声データ記録手段に記憶する。音声の切り替え処理が終わると、出力対象となっていないチャンネルの音声信号を前記音声データ記録手段に記憶することにより、次の音声切り替えの処理に対応することが可能になっている。
【０００９】
また、本発明に係るテレビ受信機において、前記表示デバイスは、音声がスピーカーから出力されているチャンネルの画面と音声がスピーカーから出力されていないチャンネルの画面とを識別表示する。前記表示デバイスには複数のチャンネルの画面が同時に表示されるが、音声がスピーカーから出力されているチャンネルの画面と音声がスピーカーから出力されていないチャンネルの画面とを識別表示することにより、音声と画面との関連を容易に把握することができる。
【００１０】
また、本発明に係るテレビ受信機において、前記表示デバイスは、音声出力の切り替え指示があると、音声をスピーカーから出力するチャンネルの画面を主画面とし、音声をスピーカーから出力しないチャンネルの画面を副画面として表示する。このように主画面と副画面とを交替して表示することにより、音声と画面との関連を容易に把握することができる。
【発明を実施するための最良の形態】
【００１１】
実施形態１．
図１は本発明の実施形態１に係るデジタル放送受信装置の構成を示すブロック図である。このデジタル放送受信装置１は、アンテナ１０、チューナー１１，１２、デマルチプレクサ１３，１４、映像信号処理回路１５，１６、音声信号処理回路１７，１８、描画処理回路１９、映像出力回路２０、表示デバイス２１、音声記録再生回路２２、音声データメモリ２３、音声出力回路２４及びスピーカー２５を備えている。このデジタル放送受信装置１は、更に、操作部３１、インターフェース（ＩＦ）３２、リモートコントローラ３３、受信部３４及び制御部３５を備えている。そして、チューナー１１〜音声出力回路２４、インターフェース３２、受信部３４及び制御部３５はバス３６を介して接続されており、制御部３５により回路全体が制御される。制御部３５は、ＣＰＵ３５１、ＣＰＵ３５１が実行すべきプログラムや固定データなどが書き込まれたＲＯＭ３５２及びＣＰＵ３５１のワークエリアなどとして機能するＲＡＭ３５３によって構成されている。なお、操作部３１及びリモートコントローラ３３は、通常のテレビのキーの他に、音声切替信号等の指令信号を出力するためのキー等（図示せず）が設けられているものとする。
【００１２】
図１のデジタル放送受信装置１において、利用者が操作部３１又はリモートコントローラ３３を操作して見たいチャンネルを選択すると、そのチャンネルに相当する選局信号が発生し、制御部３５はその選局信号をインターフェース３２又は受信部３４及びバス３６を介して受信し、制御部３５がその選局信号に基づいて例えばチューナー１１に選局信号を出力すると、チューナー１１は受信信号をチューニングしてその選局信号に対応した特定周波数の信号を取り出す。アンテナ１０は、周波数変換器を備えており、例えばＣＳ（Ｃｏｍｍｕｎｉｃａｔｉｏｎ  Ｓａｔｅｌｌｉｔｅ）から送られてくるディジタル放送信号を受信して、周波数変換した信号をチューナー１１に出力する。チューナー１１は、復調回路、逆インタリーブ回路、誤り訂正回路等を備えており、映像・音声データを含む高周波ディジタル変調信号から特定周波数の信号を取り出す処理をする。すなわち、ディジタル放送の複数のトランスポンダのなかから一つを選択する処理を行う。デマルチプレクサ（ＤＥＭＵＸ）１３は、前記トランスポート・ストリームを、例えばＭＰＥＧ２（Ｍｏｖｉｎｇ Ｐｉｃｔｕｒｅ Ｅｘｐｅｒｔｓ Ｇｒｏｕｐ２）のビデオストリーム、オーディオストリーム、ＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離し、ビデオストリームを映像信号処理回路１５に出力し、オーディオストリームを音声信号処理回路１７に出力する。なお、ＰＳＩ／ＳＩは必要に応じて例えば制御部３５に取り込まれて処理される。
【００１３】
映像信号処理回路１５はビデオデコーダ等を内蔵しており、入力された可変長符号を復号して量子化係数や動きベクトルを求め、逆ＤＣＴ変換や動きベクトルに基づく動き補償制御等を行って描画処理回路１９に出力する。描画処理回路１９は、映像信号処理回路１１５及びＣＰＵ３５１から出力指示された文字情報や色情報に基づく映像信号（映像データ）を生成する回路であり、奇数フィールドの映像及び偶数フィールドの映像をそれぞれ描画し、各フィールド毎に交互にその描画された映像信号を映像出力回路２０に出力する。映像出力回路２０は、描画処理回路１９からの奇数フィールドの映像信号及び偶数フィールドの映像信号を受け取ってＤ／Ａ変換を行い、例えばコンポジット映像信号に変換して表示デバイス２１に出力し、表示デバイス２１はその映像信号による映像を表示する。
【００１４】
音声信号処理回路１７はオーディオデコーダ等を内蔵しており、入力された符号化信号を復号して音声信号（音声データ）を生成し、それを音声記録再生回路２２を介して音声出力回路２４に出力し、音声出力回路２４はその音声信号をＤ／Ａ変換し、例えば右（Ｒ）音のアナログ信号及び左（Ｌ）音のアナログ信号を生成して増幅し、スピーカー２５に出力する。そして、スピーカー２５から音声が得られる。
【００１５】
チューナー１２、デマルチプレクサ１４、映像信号処理回路１６及び音声信号処理回路１８の構成及びその機能は、上述のチューナー１１、デマルチプレクサ１３、映像信号処理回路１５及び音声信号処理回路１７と同じであり、描画処理回路１９は映像信号処理回路１５，１６の何れか一方の映像信号を選択して処理し、或いは何れか一方の映像信号を主画面とし、他方の映像信号を副画面として合成して描画し（この場合には２チャンネル分の２つ画面が表示デバイス２１に表示されることになる。）、映像出力回路２０に出力する。音声記録再生回路２２は、音声信号処理回路１７，１８の何れか一方の音声信号を選択して処理し、音声出力回路２４を介してスピーカー２５に出力する。なお、音声記録再生回路２２は、２チャンネル分の２つ画面が表示デバイス２１に表示されている場合においても、何れか一方のチャンネルの音声信号を出力し、スピーカー２５からはそのチャンネルの音声が出力される。
【００１６】
次に、図１のデジタル放送受信装置１において、２つのチャンネルを選択して表示デバイス２１に表示させる場合の動作を説明する。利用者が操作部３１又はリモートコントローラ３３を操作して２つのチャンネルを選択すると、制御部３５はそのチャンネルの選局信号をインターフェース４２又は受信部４４を介して取り込んで解読し、チューナー１１及び１２に対して選局信号をそれぞれ送信し、チューナー１１及び１２はその選局信号に基づいて受信信号をチューニングして、その選局信号に対応した周波数（チャンネル）の信号を取り出す。チューナー１１及び１２の出力はデマルチプレクサ１３，１４により映像ストリームと音声ストリームとにそれぞれ分離される。ここで、デマルチプレクサ１３からの映像ストリームを主画面の映像信号とすると、デマルチプレクサ１３からの映像ストリームは映像信号処理回路１５を介して主画面の映像信号として描画処理回路１９に入力し、デマルチプレクサ１４からの映像ストリームは映像信号処理回路１６を介して副画面の映像信号として描画処理回路１９に入力する。描画処理回路１９は、映像信号処理回路１５からの映像信号と映像信号処理回路１６からの映像信号とを合成して奇数フィールドの映像信号及び偶数フィールドの映像信号をそれぞれ生成して映像出力回路２０を介して表示デバイス２１に出力し、表示デバイス２１に２つのチャンネルの画面（映像）を表示させる。
【００１７】
また、音声記録再生回路２２は、音声信号処理回路１７からの音声信号及び音声信号処理回路１８からの音声信号の内、音声信号処理回路１７からの音声信号を音声出力回路２４に出力し、スピーカー２５からは主画面のチャンネルの音声が出力される。このとき、音声記録再生回路２２は、音声信号処理回路１８からの音声信号を音声データメモリ２３に記録する。なお、音声データメモリ２３はリングバッファとして機能するように制御されており、音声信号処理回路１８からの音声信号を記録し続ける。
【００１８】
次に、上記の音声記録再生回路２２の処理をフローチャートを参照しながら説明する。図２（ａ）（ｂ）（ｃ）は、音声記録タスクの開始の処理、音声再生タスク開始の処理及び２画面表示のときの監視動作のフローチャートである。操作部３１等の操作に基づいて２画面表示が開始すると、音声記録再生回路２２は、図２（ａ）に示されるように、
音声記録位置Ｗｐ＝０、音声再生位置Ｒｐ＝０、音声記録開始位置Ｗｐｓ＝０
Ｗｃｈ＝副画面のチャンネル（ｃｈ）
Ｒｃｈ＝主画面のチャンネル（ｃｈ）
スピーカーの出力＝Ｒｃｈの音声
と初期設定し（Ｓ１）、主画面のチャンネルＲｃｈの音声信号を音声出力回路２４に出力し、スピーカー２５から主画面のチャンネルＲｃｈの音声が出力するようにする。更に、音声記録再生回路２２は、副画面のチャンネルＷｃｈの音声信号を音声データメモリ２３に記録するための音声記録タスクを開始する（Ｓ２）。この音声記録タスクの処理の詳細については後述する（後述の図３参照）。
【００１９】
また、音声記録再生回路２２は、図２（ｂ）に示されるように、操作部３１による音声の切り替え操作があって音声切替信号を受信すると、音声再生位置Ｒｐ＝音声記録開始位置Ｗｐｓ、再生中フラグ２２ａ：Ｏｎ、スピーカーの出力＝再生タスクの出力、と設定して（Ｓ３）、上記の音声記録タスクにより音声データメモリ２３に記録された音声信号を再生するための音声再生タスクを開始する（Ｓ４）。この音声再生タスクの処理の詳細については後述する（後述の図５参照）。
【００２０】
また、音声記録再生回路２２は、図２（ｃ）に示されるように、２画面を表示しているときに監視動作を行っており、まず、再生中フラグ２２ａが「Ｏｎ」であるかどうかを判断し（Ｓ５）、「Ｏｎ」ではない（Ｏｆｆである）と判断した場合には（後述の図５の処理Ｓ２６参照）、音声再生タスクを終了する（Ｓ６）。そして、音声再生タスクが終了すると、記録中のチャンネルＷｃｈと再生中のチャンネルＲｃｈとを交替し、Ｗｐｓ＝Ｗｐ、スピーカーの出力＝Ｒｃｈの音声、と設定する（Ｓ７）。なお、この処理Ｓ７の意義については後述する。そして、ＷｃｈとＲｃｈとを交替し、Ｗｐｓ＝Ｗｐ、スピーカ出力＝Ｒｃｈの音声、と設定する（Ｓ８）。この処理により元の副画面が主画面となり、元の主画面が副画面となり、スピーカー２５からは主画面（元の副画面）の音声が出力されることになる。続いて、２画面の表示が終了したかどうかを判断し（Ｓ９）、２画面の表示が終了した場合には、音声記録・再生タスクを終了する（Ｓ１０）。
【００２１】
図３は音声記録タスクの処理過程を示したフローチャートであり、これは所定の周期Ｔｗｒで行われる。音声記録再生回路２２は、副画面のチャンネルＷｃｈの音声信号を取得して音声データメモリ２３の音声記録位置Ｗｐに記録する（Ｓ１１）。音声記録位置ＷｐをＷｐ＝Ｗｐ＋１とし（Ｓ１２）、音声記録位置Ｗｐを更新し、この音声記録位置ＷｐがＷｐ＝Ｂｓｉｚｅであるかどうかを判断する（Ｓ１３）。Ｗｐ＝Ｂｓｉｚｅである場合には（音声データメモリ２３のアドレスは０から始まるので、Ｗｐ＝Ｂｓｉｚｅのときには音声データメモリ２３の最終アドレスを超えていることになる。）、音声記録位置Ｗｐを初期位置（先頭アドレス）に戻すために、Ｗｐ＝０と設定する（Ｓ１４）。次に、音声記録位置ＷｐがＷｐ＝音声記録開始位置Ｗｐｓであるかどうかを判断し（Ｓ１５）、音声記録開始位置Ｗｐｓと一致している場合には、音声記録開始位置ＷｐｓをＷｐｓ＝Ｗｐｓ＋１と設定し、音声記録開始位置Ｗｐｓを変更する（Ｓ１６）。次に、Ｗｐｓ＝Ｂｓｉｚｅであるかどうかを判断し（Ｓ１７）、Ｗｐｓ＝Ｂｓｉｚｅである場合には、Ｗｐｓ＝０と設定し、音声記録開始位置Ｗｐｓを初期位置（先頭アドレス）に戻す設定をする（Ｓ１８）。
【００２２】
図４は図３の処理を概念的に示した説明図である。図３の処理は周期Ｔｗｒで行われ、副画面のチャンネルＷｃｈの音声信号を取得した後に、音声記録位置Ｗｐを移動しながら記憶し、音声記録位置ＷｐがＷｐ＝Ｂｓｉｚｅとなると（同図（ａ））、音声データメモリ２３の初期位置（先頭アドレス）に戻り、また、音声記録位置Ｗｐが音声記録開始位置Ｗｐｓになると、その開始位置Ｗｐｓを移動する（（同図（ｂ））、という処理を繰り返して、音声データメモリ２３がリングバッファとして機能するように書き込み処理をしている。
【００２３】
図５は音声再生タスクの処理過程を示したフローチャートであり、これは所定の周期Ｔｒｄ（Ｔｒｄ＜Ｔｗｒ）で処理される。音声記録再生回路２２は、音声再生位置Ｒｐから音声信号を読み出して出力する（Ｓ２１）。そして、音声再生位置ＲｐをＲｐ＝Ｒｐ＋１とし（Ｓ２２）、音声再生位置Ｒｐを更新し、このＲｐがＲｐ＝Ｂｓｉｚｅであるかどうか判断する（Ｓ２３）。即ち、音声データメモリ２３の最終アドレスを超えたかどうかを判断する。Ｒｐ＝Ｂｓｉｚｅである場合には、音声再生位置を音声データメモリ２３の初期位置（先頭アドレス）に戻すために、Ｒｐ＝０と設定する（Ｓ２４）。そして、Ｒｐ＝Ｗｐであるかどうかについて判断し（Ｓ２５）、Ｒｐ＝Ｗｐである場合には再生中フラグ２２ａをｏｆｆにする（Ｓ２６）。即ち、音声再生タスクの周期Ｔｒｄは、Ｔｒｄ＜Ｔｗｒであり、再生処理の周期が記録の周期よりも短いので、音声再生位置Ｒｐが音声記録位置Ｗｐに追いつくことにより、音声再生が必要なくなり、再生中フラグ２２ａをｏｆｆにする。
【００２４】
図６は上記の音声再生タスクの処理過程を概念的に示した説明図である。音声切り替えの指示がある前は、例えばチャンネル１（ｃｈ１）が主画面であり、チャンネル１（ｃｈ１）の音声がスピーカー２５から出力されており、チャンネル２（ｃｈ２）の音声信号が音声データメモリ２３に記録されているものとする（図６（ａ））。そのような状態で、音声切り替えの指示があると、その時の音声データメモリ２３の音声記録位置から再生を開始する（（図６（ｂ））。再生の処理速度（周期）は記録の処理速度よりも速いので、同じ位置から再生と記録とを始めても、再生の位置（読み込みポイント）は先に進んで、再生の位置が記録の位置（書き込みポイント）に追いついた状態になる（（図６（ｃ）（ｄ））。この状態になると、例えば元の主画面のチャンネルがｃｈ１であり、元の副画面のチャンネルがｃｈ２であるとすると、図５の処理Ｓ２６により再生中フラグ２２ａをｏｆｆにし、これにより音声記録タスクが終了し（図２のＳ７）、主画面のチャンネルをｃｈ２、副画面のチャンネルをｃｈ１に設定して、スピーカー２５から主画面のチャンネルｃｈ２の音声が得られる（図２のＳ８）。このように音声出力の切り替えに伴って、主画面のチャンネルと副画面のチャンネルとを切り替えている。そして、チャンネルｃｈ２の音声信号に代えて、副画面のチャンネルｃｈ１の音声信号を音声データメモリ２３に記録する（（図６（ｅ））。
【００２５】
以上のように本実施形態１においては、２画面が表示されているときには、一方のチャンネル（例えば１ｃｈ）の音声がスピーカーから得られており、また、他方のチャンネル（例えば２ｃｈ）はその音声信号が音声データメモリ２３に記録されている状態で、音声の切り替え操作があると、音声データメモリ２３に記録されている他方のチャンネル（２ｃｈ）の音声信号が読み込まれてその音声がスピーカー２５から得られるので、切り替え操作前の音声が得られる。そして、音声データメモリ２３の音声信号の記録処理に再生処理が追いつくと、他方のチャンネル（２ｃｈ）の音声が、音声データメモリ２３を介さずに、音声出力回路２４に出力するようにしているので、再生による音声信号から音声信号処理回路１７からの音声信号への移行が円滑になされる。また、一方のチャンネル（１ｃｈ）の音声信号が音声データメモリ２３に記録され、再度の音声の切り替え操作に対しても対応できるようになっている。
【００２６】
実施形態２．
なお、上記の実施形態１において、例えば音声が出力されているチャンネルの画面の枠を例えば太枠にする等の識別表示をすれば、スピーカー２５からの音声が２画面の内の何れの画面の音声であるかを容易に把握することができる。この識別表示は、操作部３１等による切り替え操作を制御部３５が解析し、識別表示に対応した描画信号を描画処理回路１９に供給することにより、描画処理回路１９がその描画信号に基づいて描画し、合成された映像信号を映像出力回路２０に出力することにより得られる。例えば図６の符号２１ａで示される太枠がその例である。なお、識別表示は図６の例に限定されるものではなく、任意のものであってもよい。例えば、音声が出力されている側のチャンネルの画面（主画面）を相対的に大きく表示させるようにしてもよい。
【００２７】
実施形態３．
また、実施形態１においてはテレビ受信機としてデジタル放送受信装置の例について説明したが、本発明はアナログ形式のテレビ受信機にも同様に適用される。また、表示デバイスは、液晶パネル、プラズマディスプレイ、ＣＲＴ等の何れでもよい。また、チューナーが２個設けられている例について説明しているが、３個以上の複数であってもよく、例えば表示デバイスに３画面（３チャンネル分）を表示させた状態で、音声出力を任意に切り替えることができるように構成してもよい。
【図面の簡単な説明】
【００２８】
【図１】本発明の実施形態１に係るデジタル放送受信装置の構成を示すブロック図。
【図２】２画面表示がなされたときの処理を示すフローチャート。
【図３】音声記録タスクの処理を示すフローチャート。
【図４】音声記録タスクの処理を概念的に示した説明図。
【図５】音声再生タスクの処理を示すフローチャート。
【図６】音声再生タスクの処理を概念的に示した説明図。
【符号の説明】
【００２９】
１１，１２ チューナー、１３，１４ デマルチプレクサ、１５，１６ 映像信号処理回路、１７，１８ 音声信号処理回路、１９ 描画処理回路、２０ 映像出力回路、２１ 表示デバイス、２２ 音声記録再生回路、２３ 音声データメモリ、２５ スピーカー、３１ 操作部、３２ インターフェース、３３ リモートコントローラ、３４ 受信部、３５ 制御部、３６ バス。
【図１】
2006041839.tif 000003
【図２】
2006041839.tif 000004
【図３】
2006041839.tif 000005
【図４】
2006041839.tif 000006
【図５】
2006041839.tif 000007
【図６】
2006041839.tif 000008